【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
冷媒を圧縮して吐出する圧縮機（１１）と、
前記圧縮機から吐出された冷媒と空調対象空間へ送風される送風空気とを熱交換させて前記送風空気を加熱する加熱部（１２、７０）と、
冷媒と外気とを熱交換させる室外熱交換器（１４）と、
前記室外熱交換器へ流入する冷媒を減圧させる第１減圧部（１３）と、
前記室外熱交換器から流出した冷媒を減圧させる第２減圧部（１９）と、
前記第２減圧部下流側の低圧冷媒と前記加熱部にて加熱される前の前記送風空気とを熱交換させて前記送風空気を冷却する蒸発器（２０）と、
サイクルを循環する冷媒の冷媒流路を切り替える冷媒流路切替部（１５ａ、１５ｂ）とを備え、
前記冷媒流路切替部は、
前記送風空気を加熱する暖房運転時には、少なくとも前記加熱部にて放熱させた冷媒を、前記第１減圧部にて減圧させて前記室外熱交換器にて蒸発させる冷媒流路に切り替え、
前記送風空気を冷却する冷房運転時には、前記加熱部および前記室外熱交換器にて放熱させた冷媒を、前記第２減圧部にて減圧させて前記蒸発器にて蒸発させる冷媒流路に切り替える冷凍サイクル装置であって、
前記室外熱交換器は、冷媒が流れる複数のチューブ（４４）を積層して構成されたコア部（４１）を備え、
前記コア部は、前記複数のチューブのうち一部のチューブ群でそれぞれ構成される第１コア部（４１１）、第２コア部（４１２）および第３コア部（４１３）を有し、
前記第２コア部を流れる冷媒の流れ方向が、前記暖房運転時と前記冷房運転時とで逆方向になっており、
前記第１コア部および前記第３コア部のそれぞれを流れる冷媒の流れ方向は、前記暖房運転時および前記冷房運転時において同一方向になっており、
前記室外熱交換器には、
前記第１コア部に冷媒を流入させる冷媒流入部（１４１）と、
前記第２コア部に冷媒を流出入させる冷媒流出入部（１４２）と、
前記第３コア部から冷媒を流出させる冷媒流出部（１４３）とを有しており、
前記室外熱交換器は、
前記冷房運転時には、前記冷媒流入部から前記第１コア部へ流入した冷媒、および、前記冷媒流出入部から前記第２コア部へ流入した冷媒の双方が、前記第３コア部に流入して前記冷媒流出部から流出し、
前記暖房運転時には、前記冷媒流入部から前記第１コア部へ流入した冷媒が、前記第２コア部および前記第３コア部の双方に流入して前記冷媒流出入部および前記冷媒流出部から流出するように構成されていることを特徴とする冷凍サイクル装置。
【請求項２】
前記第１コア部を構成する前記チューブの本数をＮ１、前記第２コア部を構成する前記チューブの本数をＮ２、前記第３コア部を構成する前記チューブの本数をＮ３としたときに、
Ｎ１＜Ｎ２＋Ｎ３、かつ、Ｎ１＋Ｎ２＞Ｎ３の関係を満たすことを特徴とする請求項１に記載の冷凍サイクル装置。
【請求項３】
前記冷媒流路切替部は、
前記暖房運転時には、前記第１減圧部にて減圧させた冷媒を、前記冷媒流入部から前記室外熱交換器に流入させて前記冷媒流出入部および前記冷媒流出部から流出させる冷媒流路に切り替え、
前記冷房運転時には、前記加熱部にて放熱させた冷媒を、前記冷媒流入部および前記冷媒流出入部から前記室外熱交換器に流入させて前記冷媒流出部から流出させる冷媒流路に切り替えることを特徴とする請求項１または２に記載の冷凍サイクル装置。
【請求項４】
前記冷媒流路切替部は、
前記加熱部から流出した冷媒を前記第１減圧部側へ導く冷媒流路、および、前記加熱部から流出した冷媒を前記第１減圧部を迂回して前記室外熱交換器側へ導く冷媒流路を切り換える第１切替部（１５ａ）と、
前記室外熱交換器から流出した冷媒を前記圧縮機の吸入側へ導く冷媒流路、および、前記室外熱交換器から流出した冷媒を前記第２減圧部側へ導く冷媒流路を切り換える第２切替部（１５ｂ）とを有しており、
前記第１切替部および前記第２切替部が一体に構成されていることを特徴とする請求項１ないし３のいずれか１つに記載の冷凍サイクル装置。
【請求項５】
前記冷媒流路切替部および前記第１減圧部が一体に構成されていることを特徴とする請求項１ないし４のいずれか１つに記載の冷凍サイクル装置。
【請求項６】
前記冷媒流路切替部は、
前記加熱部から流出した冷媒を前記第１減圧部側へ導く冷媒流路、および、前記加熱部から流出した冷媒を前記第１減圧部を迂回して前記室外熱交換器側へ導く冷媒流路を切り換える第１切替部（１５ａ）と、
前記室外熱交換器から流出した冷媒を前記圧縮機の吸入側へ導く冷媒流路、および、前記室外熱交換器から流出した冷媒を前記第２減圧部側へ導く冷媒流路を切り換える第２切替部（１５ｂ）とを有しており、
前記第１切替部、前記第２切替部および前記第１減圧部のうち少なくとも２つは、共通のアクチュエータ（５５）により駆動されることを特徴とする請求項５に記載の冷凍サイクル装置。
【請求項７】
前記冷媒流路切替部、前記第１減圧部および前記室外熱交換器は、一体に構成されていることを特徴とする請求項１ないし６のいずれか１つに記載の冷凍サイクル装置。
【手続補正２】
【補正対象書類名】明細書
【補正対象項目名】０００７
【補正方法】変更
【補正の内容】
【０００７】
上記目的を達成するため、請求項１に記載の発明では、冷媒を圧縮して吐出する圧縮機（１１）と、圧縮機から吐出された冷媒と空調対象空間へ送風される送風空気とを熱交換させて送風空気を加熱する加熱部（１２、７０）と、冷媒と外気とを熱交換させる室外熱交換器（１４）と、室外熱交換器へ流入する冷媒を減圧させる第１減圧部（１３）と、室外熱交換器から流出した冷媒を減圧させる第２減圧部（１９）と、第２減圧部下流側の低圧冷媒と加熱部にて加熱される前の送風空気とを熱交換させて送風空気を冷却する蒸発器（２０）と、サイクルを循環する冷媒の冷媒流路を切り替える冷媒流路切替部（１５ａ、１５ｂ）とを備え、冷媒流路切替部は、送風空気を加熱する暖房運転時には、少なくとも加熱部にて放熱させた冷媒を、第１減圧部にて減圧させて室外熱交換器にて蒸発させる冷媒流路に切り替え、送風空気を冷却する冷房運転時には、加熱部および室外熱交換器にて放熱させた冷媒を、第２減圧部にて減圧させて蒸発器にて蒸発させる冷媒流路に切り替える冷凍サイクル装置において、室外熱交換器は、冷媒が流れる複数のチューブ（４４）を積層して構成されたコア部（４１）を備え、コア部は、複数のチューブのうち一部のチューブ群でそれぞれ構成される第１コア部（４１１）、第２コア部（４１２）および第３コア部（４１３）を有し、第２コア部を流れる冷媒の流れ方向が、暖房運転時と冷房運転時
とで逆方向になっており、第１コア部および第３コア部のそれぞれを流れる冷媒の流れ方向は、暖房運転時および冷房運転時において同一方向になっており、室外熱交換器には、第１コア部に冷媒を流入させる冷媒流入部（１４１）と、第２コア部に冷媒を流出入させる冷媒流出入部（１４２）と、第３コア部から冷媒を流出させる冷媒流出部（１４３）とを有しており、室外熱交換器は、冷房運転時には、冷媒流入部から第１コア部へ流入した冷媒、および、冷媒流出入部から第２コア部へ流入した冷媒の双方が、第３コア部に流入して冷媒流出部から流出し、暖房運転時には、冷媒流入部から第１コア部へ流入した冷媒が、第２コア部および第３コア部の双方に流入して冷媒流出入部および冷媒流出部から流出するように構成されていることを特徴とする。